(57)【要約】【課題】ダクトの取回しの制限を無くし、充分な支持剛性が得られるようにする。【解決手段】インストルメントパネル４の内部に、ステアリングサポートメンバ５と、空調装置本体６とが配置され、空調装置本体６ステアリングサポートメンバ５に取付けられた空調装置取付構造であって、空調装置本体６にフック部１１を設け、フック部１１にステアリングサポートメンバ５を係止させ、フック部１１とステアリングサポートメンバ５との間を締結具１９で直接締結固定するようにしている。【選択図】図１
2007314110.tif 000002
【特許請求の範囲】
【請求項１】
インストルメントパネルの内部に、ステアリングサポートメンバと、空調装置本体とが配置され、該空調装置本体がステアリングサポートメンバに取付けられた空調装置取付構造において、
前記空調装置本体にフック部を設け、該フック部にステアリングサポートメンバを係止させ、フック部とステアリングサポートメンバとの間を締結具で直接締結固定したことを特徴とする空調装置取付構造。
【発明の詳細な説明】
【技術分野】
【０００１】
この発明は、空調装置取付構造に関するものである。
【背景技術】
【０００２】
自動車などの車両には、車室内の前部にインストルメントパネルが設けられている。このインストルメントパネルの内部には、ステアリングサポートメンバと、空調装置本体とがそれぞれ配置されている。このうち、ステアリングサポートメンバは、ほぼ車幅方向へ延びる強度部材であり、ステアリングコラムなどを支持するのに用いられている。また、空調装置本体は、車幅方向のほぼ中央部などに配置されて、インストルメントパネルの各部に対しダクトを介して空調用エアを送給するのに用いられている。そして、空調装置本体はステアリングサポートメンバに取付けられている。
【０００３】
空調装置本体のステアリングサポートメンバに対する取付構造としては、空調装置本体に取付けられたダクト間にブラケットを架橋し、このブラケットをステアリングサポートメンバに締結固定することにより、間接的に空調装置本体を取付けるようにしたものがある（例えば、特許文献１の図７参照）。
【特許文献１】特開２００３−３４１３８６号公報
【発明の開示】
【発明が解決しようとする課題】
【０００４】
しかしながら、上記特許文献１に記載された空調装置取付構造では、ダクト間に架橋したブラケットを介して間接的にステアリングサポートメンバに固定するようにしていたので、ダクトの取回しに制限が生じるという問題があった。また、ステアリングサポートメンバと空調装置本体との間にブラケットおよびダクトが介在されるため、充分な支持剛性を確保することが困難であった。
【課題を解決するための手段】
【０００５】
上記課題を解決するために、請求項１に記載された発明では、インストルメントパネルの内部に、ステアリングサポートメンバと、空調装置本体とが配置され、該空調装置本体がステアリングサポートメンバに取付けられた空調装置取付構造において、前記空調装置本体にフック部を設け、該フック部にステアリングサポートメンバを係止させ、フック部とステアリングサポートメンバとの間を締結具で直接締結固定した空調装置取付構造を特徴としている。
【発明の効果】
【０００６】
請求項１の発明によれば、空調装置本体にフック部を設け、フック部にステアリングサポートメンバを係止させ、フック部とステアリングサポートメンバとの間を締結具で直接締結固定したことにより、ダクトに関係なく空調装置本体をステアリングサポートメンバに固定することができるようになるので、ダクトの取回しに対する制限をなくすことができる。また、ブラケットおよびダクトを介在させずに、空調装置本体をステアリングサポートメンバに直接固定することができるため、充分な支持剛性を確保することが可能となる。
【発明を実施するための最良の形態】
【０００７】
ダクトの取回しの制限を無くし、充分な支持剛性が得られるようにするという目的を、空調装置本体にフック部を設け、フック部にステアリングサポートメンバを係止させ、フック部とステアリングサポートメンバとの間を締結具で直接締結固定する、という手段で実現した。
【実施例】
【０００８】
以下、本発明を具体化した実施例について、図示例と共に説明する。
【０００９】
図１〜図４は、この発明の実施例を示すものである。
【００１０】
まず、構成について説明する。図１中、符号１は車体を構成するダッシュパネル、２は車体を構成するフロアパネル、３はフロントウインドウガラスである。
【００１１】
そして、自動車などの車両には、車室内の前部にインストルメントパネル４が設けられている。このインストルメントパネル４は、ダッシュパネル１とフロアパネル２の前部とを覆うように取付けられる。
【００１２】
このインストルメントパネル４の内部には、ステアリングサポートメンバ５と、空調装置本体６とがそれぞれ配置されている。このうち、ステアリングサポートメンバ５は、図２に示すように、ほぼ車幅方向７へ延びる強度部材であり、ステアリングコラムなどを支持するのに用いられている。このステアリングサポートメンバ５は、通常は、金属製の丸パイプで主に構成される。ステアリングサポートメンバ５の車幅方向７ほぼ中央部には、ほぼ下方へ延びてフロアパネル２に荷重を支持させるためのステー８が設けられている。また、空調装置本体６は、インストルメントパネル４内の車幅方向７のほぼ中央部などに配置されて、インストルメントパネル４の各部に対し各種のダクト９を介して空調用エアを送給するのに用いられている。そして、空調装置本体６は車体（ダッシュパネル１、フロアパネル２など）やステアリングサポートメンバ５などに固定される。
【００１３】
この実施例のものでは、空調装置本体６にフック部１１を設ける。このフック部１１は、例えば、空調装置本体６の後面上部または、上面後部など、空調装置本体６の上側の位置に設けるようにする。このフック部１１は、空調装置本体６に対して一体または一体的に形成する。なお、フック部１１は、少なくとも二箇所以上に設けるようにするのが好ましい。この場合、車幅方向７に離して左右二箇所設けるようにしている。また、フック部１１は、補強リブ１２などで補強しておくのが好ましい。
【００１４】
そして、フック部１１にステアリングサポートメンバ５を係止させるようにする。フック部１１は、ステアリングサポートメンバ５のパイプ部分全体に対して外側から装着・係止し得るような鈎状のものなどとする。この際、例えば、フック部１１は、後側下部（乗員から見て手前側下部）に入口部を有して、ステアリングサポートメンバ５に斜め上方から係止させるような形状のものとする。或いは、フック部１１に対して、ステアリングサポートメンバ５を斜め下方から挿入係止させるような形状のものとする。
【００１５】
更に、フック部１１とステアリングサポートメンバ５との間をネジなどの締結具１９で直接締結固定し得るようにする。なお、フック部１１の内面に対して、ロケートピンなどを適宜設けるようにすることもできる。
【００１６】
この際、図４に示すように、ステアリングサポートメンバ５における、フック部１１が係止する部分に、回り止め用及び荷重支持用の係止面２０を形成することができる。これに対応して、フック部１１の側にも、係止面２０に対する受面２１を形成することができる。この場合に、係止面２０および受面２１は、後側上部（乗員から見て手前側上部）に、前上がりの勾配を有するように形成されている。
【００１７】
なお、必要に応じて、図３に示すように、空調装置本体６のステアリングサポートメンバ５が当る部分に、ステアリングサポートメンバ５を面接触させるための凹面部２２を形成しても良い。この凹面部２２は、ステアリングサポートメンバ５の側面形状と対応する円筒面状凹部などとする。
【００１８】
更に、空調装置本体６下面の前部に、フロアパネル２に接する支持脚部１５を設ける。また、空調装置本体６の背面側に、ダッシュパネル１に対する取付ブラケット１６を設け、この取付ブラケット１６をダッシュパネル１にネジ１７などの締結具を用いて締結固定し得るようにする。更に、空調装置本体６の側面とステー８との間をネジ１８などの締結具を用いて締結固定し得るようにする。
【００１９】
次に、この実施例の作用について説明する。
【００２０】
この実施例によれば、空調装置本体６にフック部１１を設け、フック部１１にステアリングサポートメンバ５を係止させ、フック部１１とステアリングサポートメンバ５との間を締結具１９で直接締結固定したことにより、ダクト９に関係なく空調装置本体６をステアリングサポートメンバ５に固定することができるようになるので、ダクト９の取回しに対する制限をなくすことができる。また、ブラケットおよびダクト９を介在させずに、空調装置本体６をステアリングサポートメンバ５に直接固定することができるため、充分な支持剛性を確保することが可能となる。
【００２１】
加えて、図４に示すように、ステアリングサポートメンバ５における、フック部１１が係止する部分に、係止面２０を形成することにより、係止面２０にて回り止め及び荷重支持を行わせることができる。また、フック部１１の側に、係止面２０に対する受面２１を形成することにより、係止面２０と協働させることができる。
【００２２】
また、図３に示すように、空調装置本体６のステアリングサポートメンバ５が当る部分に凹面部２２を形成することにより、ステアリングサポートメンバ５を面接触状態で安定保持することができる。
【００２３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２４】
【図１】本発明の実施例にかかる空調装置取付構造の側方断面図である。
【図２】図１の空調装置取付構造を示す斜視図である。
【図３】図２の空調装置本体のフック部周辺の部分拡大斜視図である。
【図４】ステアリングサポートメンバに設けた係止面を示す拡大側断面図である。
【符号の説明】
【００２５】
４    インストルメントパネル
５    ステアリングサポートメンバ
６    空調装置本体
１１  フック部
【図１】
2007314110.tif 000003
【図２】
2007314110.tif 000004
【図３】
2007314110.tif 000005
【図４】
2007314110.tif 000006